(57)【要約】【課題】  歩行管理機等の牽引部に、畝の傾斜にあった除草板を牽引させることによって、畝の形状を崩すことなく適性に維持しながら、畝表面の雑草を効率的に除去する除草装置を提供する。【解決手段】  エンジン２の駆動により圃場を走行する牽引部１と、その牽引部１に牽引される除草部９とによって構成される除草装置であって、前記除草部９は、畝の盛り土部側面の傾斜角度に沿った除草板１１を備え、牽引部に牽引させて除草板１１を畝に接触させながら走行し、畝の雑草を削り落として除草する。【選択図】        図１
2005160434.tif 000002
【特許請求の範囲】
【請求項１】
動力部の駆動により圃場を走行する牽引部と、その牽引部に牽引される除草部とによって構成される除草装置であって、
前記除草部は、畝の盛り土部側面の傾斜角度に沿った除草板を備え、牽引部に牽引させて除草板を畝に接触させながら走行し、畝の雑草を削り落として除草することを特徴とする除草装置。
【請求項２】
前記除草板の板面を後方へ傾斜させ、畝に対して板面が鋭角で接触する構成とした請求項１記載の除草機。
【請求項３】
前記除草板を前後斜めに配設した請求項１又は２記載の除草装置。
【請求項４】
前記除草板を左右両側に配置し、それら除草板同士の前方の間隔を狭く、そして後方の間隔を広く設定し、それによって、除草板の平面視形状をハの字とした請求項１〜３いずれか記載の除草装置。
【請求項５】
前記除草部に車輪を配置して、その車輪の高さを調整して、除草板の高さを調整可能とした請求項１〜４いずれか記載の除草装置。
【請求項６】
前記除草板の取付角度を畝との接触角度に応じて調整可能とし、さらに除草板同士の距離を畝幅に応じて拡縮可能とした請求項１〜５いずれか記載の除草装置。
【発明の詳細な説明】
【技術分野】
【０００１】
本発明は除草装置に関する。
【背景技術】
【０００２】
従来より、圃場や畑の除草方法としては、鎌、クワ等を使用して人力によって行われる他、刈払機、ティラーと呼ばれる小型管理機、耕耘機、またはトラクタ等を使用した方法が採用されている。
これら除草に使用される原動機は、圃場面上を歩行者が歩きながらハンドルをもって操縦するもので、小型のエンジンを搭載し、単軸２輪の駆動兼操行車輪に減速した動力を伝える構成となっている。この原動機には牽引作業機のみを取付ける牽引型、動力伝達軸から動力をとる駆動型、作業機を取付ける駆動型及び両用型がある。
このような原動機に、耕運機兼用の４〜５枚の切込み刃を備えて回転させ、あるいは、モーアと呼ばれる機械により草葉を根本から切断し、または、土壌表層を攪拌して小草類を根こそぎ浮き上がらせる方法等によって行っている。
そして、このような除草機に関する技術として特開平１０−２４３７０３号公報記載の技術が知られている。
【特許文献１】特開平１０−２４３７０３号
【発明の開示】
【発明が解決しようとする課題】
【０００３】
しかしながら、圃場には平行に幾すじも細長く土盛りをした畝が存在するため、この畝に生えた雑草の除去は、手作業によるしか有効な手段がないのが現状である。
そして、前記従来の機械による除草方法は、その多くが平坦な作業環境を想定したものであり、畝の凹凸に対応できないという問題がった。
一方、薬剤散布により雑草を除去する方法もあるが、コストがかかるとともに、土壌環境上の問題もある。
本発明はかかる従来の問題点を解決するためになされたものであって、その目的とするところは、歩行管理機等の牽引部に、畝の傾斜にあった除草板を牽引させることによって、畝の形状を崩すことなく適性に維持しながら、畝表面の雑草を効率的に除去する除草装置を提供することにある。
【課題を解決するための手段】
【０００４】
前記目的を達成するための手段として本発明請求項１記載の除草装置では、動力部の駆動により圃場を走行する牽引部と、その牽引部に牽引される除草部とによって構成される除草装置であって、前記除草部は、畝の盛り土部側面の傾斜角度に沿った除草板を備え、牽引部に牽引させて除草板を畝に接触させながら走行し、畝の雑草を削り落として除草する構成とした。
【０００５】
請求項２記載の除草装置では、請求項１記載の除草装置において、前記除草板の板面を後方へ傾斜させ、畝に対して板面が鋭角で接触する構成とした。
【０００６】
請求項３記載の除草装置では、請求項１又は２記載の除草装置において、前記除草板を前後斜めに配設した。
【０００７】
請求項４記載の除草装置では、請求項１〜３いずれか記載の除草装置において、前記除草板を左右両側に配置し、それら除草板同士の前方の間隔を狭く、そして後方の間隔を広く設定し、それによって、除草板の平面視形状をハの字とした。
【０００８】
請求項５記載の除草装置では、請求項１〜４いずれか記載の除草装置において、前記除草部に車輪を配置して、その車輪の高さを調整して、除草板の高さを調整可能とした。
【０００９】
請求項６記載の除草装置では、請求項１〜５いずれか記載の除草装置において、前記除草板の取付角度を畝との接触角度に応じて調整可能とし、さらに除草板同士の距離を畝幅に応じて拡縮可能とした。
【発明の効果】
【００１０】
請求項１記載の除草装置においては、除草部は、畝の盛り土部側面の傾斜角度に沿った除草板を備えているので、牽引部に牽引させて除草板を畝に接触させながら走行することにより、容易に除草を行うことができる。特に、従来、手作業によるしか有効な除草方法のなかった畝の傾斜部分を効率的に除草することができる。
また、牽引部に牽引させることによって、除草が可能であるので、除草部自体には特別の動力軸を必要とせず、簡略化された構造である。
【００１１】
請求項２記載の除草装置においては、除草板の板面を後方へ傾斜させ、畝に対して板面が鋭角で接触する構成としたので、雑草の根元に除草板の先端がくいこみ易く、牽引力を集中させて容易にしかも確実に除草作業を行うことができる。
【００１２】
請求項３記載の除草装置においては、除草板を前後斜めに配設したので（図２角度α）、除草板と圃場所の接触線が斜めに長く確保されて、スムーズな除草作業が行われる。
【００１３】
請求項４記載の除草装置においては、除草板を左右両側に配置したので、歩行作業によって一度に左右両側の畝の除草作業を行うことができる。
また、除草板同士の前方の間隔を狭く、そして後方の間隔を広く設定し、それによって、除草板の平面視形状をハの字としたので、除草板と圃場の接触線が斜めに長く確保されて、スムーズな除草作業が行われる。  
さらに、除草作業によって、ハの字の除草板が畝の盛り土を順次上へ押し上げる作用が働き、畝の形状が適性に維持される。
【００１４】
請求項５記載の除草装置においては、除草部に車輪を配置したので、牽引時には車輪が本体及び除草部の荷重を支えて、作業を補助する。
また、車輪の高さを調整して、除草板の高さを調整可能としたので、畝の盛り土の高さに応じて、除草板を調整し、確実な除草作業を実現する。
【００１５】
請求項６記載の除草装置においては、除草板の取付角度を畝との接触角度に応じて調整可能とし、そして、除草板同士の距離を畝幅に応じて拡縮可能としたので、畝の形状に合わせた除草作業が可能となる。
【発明を実施するための最良の形態】
【００１６】
以下、図面に基づいて本発明の除草装置を実現する最良の形態を説明する。
図１は除草装置の全体側面図、図２は除草部の平面図、図３は除草部の側面図、図４は除草作業の説明図である。
本発明の除草装置は図１〜図４に示すように、本体（牽引部１）前方に搭載されたエンジン２と、そのエンジン２上部に配置された燃料タンク３と、エンジン２から下方に延びる駆動軸４と、その駆動軸４に連結された車輪５と、本体の後方に突設されたハンドル６と、そのハンドル６に備えられたクラッチ７及びスロットルレバー８と、本体下部の車輪後方に接続された除草部９を主要な構成としている。
この除草装置は、ハンドル６の先端を把持し、クラッチ７、スロットルレバー８を操作しながら歩行運転し、牽引部１に除草部９を牽引させて、除草部９を圃場に接触させて、雑草を削り落として除草を行うものである。
【００１７】
前記車輪５は本体中央に配置され、２本の環状部を有し、その環状部の外周に突起１０が備えられて、エンジン２からの動力を受けて、その突起１０が地面に陥入しながら牽引力を発揮する。
前記エンジン２は、ガソリン、軽油等によって駆動する内燃機関であるが、電動モータ等の動力部を使用することも可能である。
【００１８】
前記除草部９は左右に除草板１１を備え、その左右の除草板１１同士を２本のフレーム１２が連結し、そのフレーム１２の中心には前後に連結軸１３が延び、その連結軸１３の中央部から下方に車輪１４が突設されている。
前記フレーム１２は除草板１１を支え、除草板１１同士の間隔を適性に保持する支持材であり、前方のフレームが短く、後方のフレームが長く形成されている。そのため、除草板１１同士の間隔は前方が狭く収束し、後方へ行くに従って徐々に広がり、前後斜めに角度α（図２参照）を有して、いわゆる平面視形状ハの字となっている。
また、除草板１１の先方１５は低く、後方１６は高く支持され、角度β（図３参照）を有してフレームに固定されている。このため、畝１７の盛り土部側面の傾斜角度に沿って除草板の先方から後方の下端が接触することになる。
【００１９】
除草板１１は板幅十数ｃｍ、長さ４０〜５０ｃｍの長方形の鋼板であり、その板面は後方へ傾斜している。すなわち、角度γ（図４参照）に示すように傾斜して、圃場と鋭角で接触する構成となっている。尚、除草板１１の下縁１８はさらに鋭角に傾斜した状態となっている。
このように、畝に対して板面が鋭角で接触する構成としたので、雑草の根元に除草板の先端がくいこみ易く、牽引力を先端に集中させて確実に除草作業を行うことができる。
また、除草板１１は平面視形状ハの字に形成され、そして、除草板１１が先方から後方に徐々に高く配置されていることにより、除草作業と共に、畝の表面を削りながら、下方の土を除草板に沿って上方に上へ押し上げ、畝の形状を崩すことなく適性に維持する。
【００２０】
前記連結軸１３の先端には牽引部への連結ロッド１９が突設され、この連結ロッドを牽引部へ差し込み固定するようになっている。
また、連結軸１３の中央部には下方に車輪支持ロッド２０が突設されて、その先に車輪１４が固定されている。
車輪支持ロッド２０は連結軸１３に上下調節可能に固定され、固定ねじ２１を調整して車輪１４の高さ及び除草板１１の高さを調整する。
この車輪１４は、牽引時には本体及び除草部９の荷重を支えて、作業を補助する。
この車輪１４はハの字の除草板１１の中心に配置されているので、車輪１４を中心に除草板１１を左右に傾動できるようになっている。そのため、畝１７の雑草の生育具合を確認しながら、除草板を左右に傾けて、雑草の集中する部分に除草板を接触させて除草を行うことができる。
【００２１】
尚、本実施例では、除草板１１とフレーム１２の形状は固定されたものとなっているが、畝と畝の間が広い場合にはフレームを伸張し、逆に狭い場合にはフレーム１２を縮小できるように、フレーム１２を左右にスライドさせて拡縮可能としても良い。また、除草板１１の取付角度を調整可能としても良く、除草板の固定位置を調整して畝の形状に合わせた除草作業が可能となる。
【００２２】
次に本発明の除草装置の作用を説明する。
歩行管理機（牽引部１）の後部に除草部９を装着する。装着時には除草部９の先端の連結ロッド１９牽引部の装着孔に嵌合してねじ２１を締結する。
圃場または畝の形状に合わせて、車輪の高さを調整して除草板の高さを調整する。
ここで、前記段落（００２１）で説明した除草板を使用した場合には、除草板の角度α、β、γも畝の傾斜角度または形状に応じて調整可能である。
牽引部１を作動させ、畝と畝の間を走行すると、畝１７の盛り土部の傾斜部分に沿って除草板１１が接触して、その表面の雑草を削り落とす。
ここで、除草部９は車輪１４を中心として左右に傾動可能であるので、ハンドル操作により、雑草の集中する部位に除草板を傾けて選択的に除草することも可能である。
除草作業と共に、畝１７の斜面の土は除草板に沿って上へ押し上げられるので、畝の盛り土部の形状が常に維持される。
【００２３】
以上、本発明の実施例を説明したが、具体的な構成は前記実施例に限定されるものではなく、発明の要旨を逸脱しない範囲の設計変更等があっても本発明に含まれる。
たとえば、前記実施例では、除草板を２枚としたが、必要に応じて、除草板を増加させることも可能であり、左右いずれかの除草板のみとする場合であっても本発明に含まれる。
また、前記実施例では除草板の形状を前方が収束したハの字としたが、前後逆ハの字に形成することも可能である。
【図面の簡単な説明】
【００２４】
【図１】除草装置の全体側面図である。
【図２】除草部の平面図である。
【図３】除草部の側面図である。
【図４】除草作業の説明図である。
【符号の説明】
【００２５】
１  牽引部
２  エンジン
３  燃料タンク
４  駆動軸
５  車輪
６  ハンドル
７  クラッチ
８  スロットルレバー
９  除草部
１０  突起
１１  除草板
１２  フレーム
１３  連結軸
１４  車輪
１５  先方
１６  後方
１７  畝
１８  下縁
１９  連結ロッド
２０  車輪固定ロッド
【図１】
2005160434.tif 000003
【図２】
2005160434.tif 000004
【図３】
2005160434.tif 000005
【図４】
2005160434.tif 000006